(57)【要約】【課題】取付作業時における蛍光管の破損を防止するとともに、蛍光ランプの落下を確実に防止することのできる照明器具を提供する。【解決手段】  ソケット３１を直管の蛍光管２１の軸方向へスライドさせて、蛍光管２１の口金部２２に設けられているランプピン２３と接続、あるいは離脱させるので、蛍光ランプ２０の着脱時に蛍光管２１を破損するのを防止することができる。また、口金部２２を蛍光管２１の軸方向両端よりも内側に配置する。このため、蛍光管２１の全体を露出させて、発光させることができる。【選択図】図１
2010135301.tif 000002
【特許請求の範囲】
【請求項１】
直管の蛍光管の両端部付近に設けられた口金部から軸方向に対して直交する方向へ突出して設けられた一対のランプピンを有する蛍光ランプと、
前記ランプピンを保持して電力を供給する一対のソケットを有する照明器具本体と、を備えた照明器具であって、
前記ソケットに、前記照明器具本体に対して前記蛍光管の軸方向へ移動可能なスライド部を設けるとともに、前記スライド部に前記ランプピンに接触して通電する導電部を設け、
前記スライド部を前記軸方向へスライドさせることにより前記導電部と前記ランプピンと接続・離反することを特徴とする照明器具。
【請求項２】
前記口金部および前記ソケットに互いにスライド可能に嵌合する嵌合部を設けたことを特徴とする請求項１記載の照明器具。
【請求項３】
前記嵌合部が、前記蛍光管の軸方向において前記ランプピンよりも外側に設けられていることを特徴とする請求項２に記載の照明器具。
【請求項４】
前記ランプピンに突起部を設け、前記スライド部に前記突起部をスライド可能に係止する係止部を設けたことを特徴とする請求項１〜３のいずれかに記載の照明器具。
【請求項５】
直管の蛍光管の両端部付近に設けられた口金部から軸方向に対して水平な方向へ突出して設けられた一対のランプピンを有する蛍光ランプと、
前記ランプピンを保持して電力を供給する一対のソケットを有する照明器具本体と、を備えた照明器具であって、
前記ソケットに、前記照明器具本体に対して前記蛍光管の軸方向へ移動可能なスライド部を設けるとともに、前記スライド部に前記ランプピンに接触して通電する導電部を設け、
前記スライド部を前記軸方向へスライドさせることにより前記導電部と前記ランプピンと接続・離反することを特徴とする照明器具。
【請求項６】
前記ランプピンが反対側口金部の方向に突出して設けられたことを特徴とする請求項５記載の照明器具。
【発明の詳細な説明】
【技術分野】
【０００１】
本発明は、直管蛍光ランプを用いた照明器具に関するものである。
【背景技術】
【０００２】
従来より、直管の蛍光管の軸方向に対して直交する方向へ突出して設けられた一対のランプピンを有する蛍光ランプを用いた照明器具が提案されている（例えば特許文献１参照）。
【０００３】
図１５（Ａ）に示すように、蛍光ランプ１００は、棒状の蛍光管１０１の周面すなわち主発光面に口金部１０２が取り付けられている。口金部１０２は、主発光面に固着された口金部本体１０３と、口金部本体１０３上に主発光面に対して直交方向（下方）に立設された２本のランプピン１０４を備えている。
【０００４】
また、口金部本体１０３は、ランプピン１０４と略平行に延びる係止用突出部１０５を有している。図１５（Ｂ）に示すように、係止用突出部１０５は、下端に略円柱状の頭部１０６と、頭部１０６の上方に連接する首部１０７を有している。
【０００５】
従って、上述した蛍光ランプ１００をソケットに取り付けるには、先ず、蛍光ランプ１００の係止用突出部１０５の頭部１０６を、ソケットの弾性部材からなる保持部により保持するとともに、ランプピン１０４をソケットのスロットに挿入する。
また、蛍光ランプ１００を逆方向に引き抜くことにより、蛍光ランプ１００を取り外すことができる。
【先行技術文献】
【特許文献】
【０００６】
【特許文献１】特開２００８−１１７６８２号公報
【発明の概要】
【発明が解決しようとする課題】
【０００７】
しかしながら、前述したような照明器具においては、蛍光ランプ１００の着脱を、蛍光管１０１の軸方向と直交する方向、すなわちランプピン１０４の方向に行うため、蛍光管１０１が長尺の場合には、着脱の力により蛍光管１０１を破損するおそれがあるという問題があった。
また、弾性部材により蛍光ランプ１００を保持しているので、弾性部材が外力や経年により変形して、蛍光ランプ１００が落下するおそれがあるという問題があった。
【０００８】
本発明は、従来の問題を解決するためになされたもので、取付作業時における蛍光管の破損を防止することのできる照明器具を提供することを目的とする。
【課題を解決するための手段】
【０００９】
本発明の照明器具は、直管の蛍光管の両端部付近に設けられた口金部から軸方向に対して直交する方向へ突出して設けられた一対のランプピンを有する蛍光ランプと、前記ランプピンを保持して電力を供給する一対のソケットを有する照明器具本体と、を備えた照明器具であって、前記ソケットに、前記照明器具本体に対して前記蛍光管の軸方向へ移動可能なスライド部を設けるとともに、前記スライド部に前記ランプピンに接触して通電する導電部を設け、前記スライド部を前記軸方向へスライドさせることにより前記導電部と前記ランプピンと接続・離反する構成を有している。
【００１０】
この構成により、ソケットのスライド部を直管の蛍光管の軸方向へスライドさせて、スライド部の導電部を蛍光管の口金部に設けられているランプピンと接続、あるいは離脱させるので、蛍光管に軸方向に直交する方向の外力が作用しない。これにより、蛍光ランプの着脱時に蛍光管を破損するのを防止することができる。
また、口金部を蛍光管の軸方向両端よりも内側に配置する。このため、蛍光管の全体を露出させて、発光させることができる。
【００１１】
また、本発明の照明器具は、前記口金部および前記ソケットに互いにスライド可能に嵌合する嵌合部を設けた構成を有している。
【００１２】
この構成により、口金部はソケットに嵌合するので、蛍光ランプの落下を確実に防止することができる。
【００１３】
さらに、本発明の照明器具は、前記嵌合部が、前記蛍光管の軸方向において前記ランプピンよりも外側に設けられた構成を有している。
【００１４】
この構成により、口金部とソケットとの嵌合部が、蛍光管の軸方向のランプピンよりも外側にあるので、ランプピンとソケットの導電部が確実に接触した状態で、口金部とソケットとが嵌合する。これにより、蛍光ランプの落下を防止するとともに、導電部の接触不良も防止することができる。
【００１５】
さらに、本発明の照明器具は、前記ランプピンに突起部を設け、前記スライド部に前記突起部をスライド可能に係止する係止部を設けた構成を有している。
【００１６】
この構成により、ランプピンの突起部が、ソケットのスライド部に設けられた係止部にスライド可能に係止されるので、蛍光ランプの落下を防止することができる。
【００１７】
また、本発明の照明器具は、直管の蛍光管の両端部付近に設けられた口金部から軸方向に対して水平な方向へ突出して設けられた一対のランプピンを有する蛍光ランプと、前記ランプピンを保持して電力を供給する一対のソケットを有する照明器具本体と、を備えた照明器具であって、前記ソケットに、前記照明器具本体に対して前記蛍光管の軸方向へ移動可能なスライド部を設けるとともに、前記スライド部に前記ランプピンに接触して通電する導電部を設け、前記スライド部を前記軸方向へスライドさせることにより前記導電部と前記ランプピンと接続・離反する構成を有している。
【００１８】
この構成により、ソケットのスライド部を水平方向(すなわち、直管の蛍光管の軸方向)へスライドさせて、スライド部の導電部を蛍光管の口金部に設けられているランプピンと接続、あるいは離脱させるので、蛍光管に軸方向に直交する方向の外力が作用しない。これにより、蛍光ランプの着脱時に蛍光管を破損するのを防止することができる。
また、ランプピンを水平方向に設けたので、口金部とソケットが互いに同じ高さで接続・離反することができ、器具の全高を抑えることができる。
また、口金部とソケットが接続している状態において、ランプピンがソケットに保持されるので、落下防止機構を別途設ける必要がなく、構造を簡素化することができる。
さらに、従来の差込形ソケットを流用できる。
【００１９】
さらに、本発明の照明器具は、前記ランプピンが反対側口金部の方向に突出して設けられた構成を有している。
【００２０】
この構成により、口金部のランプピンを水平(すなわち、直管の蛍光管の軸方向)で且つ反対側口金部の方向に突出させたので、口金部とソケットとが離反したときに、ソケットの位置が蛍光管の端面から突出しない。
また、ソケットの移動スペースを大きくとることができるため、ランプピンを長くすることができる。
さらに、蛍光管端面にフィラメントを設けやすい。
【発明の効果】
【００２１】
本発明は、ソケットのスライド部を直管の蛍光管の軸方向へスライドさせて、蛍光管の口金部に設けられているランプピンとスライド部に設けられている導電部とを接続、あるいは離脱させるので、着脱時に蛍光管に軸方向に直交する方向の外力が作用しない。これにより、蛍光ランプの着脱時に蛍光管を破損するのを防止するという効果を有する照明器具を提供することができるものである。
【図面の簡単な説明】
【００２２】
【図１】本発明の第１実施形態にかかる照明器具における蛍光ランプを取付ける前の状態を示す斜視図
【図２】蛍光ランプを取付けた状態を示す斜視図
【図３】（Ａ）は蛍光ランプを取付ける前の状態を示す側面図、（Ｂ）は蛍光ランプを取付けた状態を示す側面図
【図４】本発明の第２実施形態にかかる照明器具における蛍光ランプを取付ける前の状態を示す斜視図
【図５】図４中V方向から見た端面図
【図６】図４中VI−VI位置の断面図
【図７】本発明の第３実施形態にかかる照明器具における取付ける前の蛍光ランプを示す斜視図
【図８】本発明の第４実施形態にかかる照明器具における蛍光ランプを取付ける前の状態を示す斜視図
【図９】図８中IX方向から見た端面図
【図１０】図８中X−X位置の断面図
【図１１】本発明の第５実施形態にかかる照明器具における蛍光ランプを取付ける前の状態を示す斜視図
【図１２】蛍光ランプを取付けた状態を示す斜視図
【図１３】蛍光ランプを取り付ける前の状態を示す側面図
【図１４】従来の差込形ソケットを流用したスライド部の斜視図
【図１５】（Ａ）従来の照明器具の斜視図、（Ｂ）（Ａ）中Ｂ−Ｂ位置の断面図
【発明を実施するための形態】
【００２３】
（第１実施形態）
以下、本発明の第１実施形態の照明器具について、図面を用いて説明する。
図１および図２に示すように、第１実施形態にかかる照明器具１０は、直管の蛍光管２１の両端部付近に設けられた口金部２２から蛍光管２１の軸方向に対して直交する方向へ突出して設けられた一対のランプピン２３を有する蛍光ランプ２０と、ランプピン２３を保持して電力を供給する一対のソケット３１を有する照明器具本体３０（図３参照）を備えている。
【００２４】
ソケット３１は、照明器具本体３０に取付けられるベース部３２と、ベース部３２にスライド自在に支持されるスライド部３３を有している。
ベース部３２は、全体Ｃ字形状をしており、照明器具本体３０に取付けられる天板３２ａと、天板３２ａの幅方向両端部から下方へ折曲形成された支持部３２ｂと、支持部３２ｂの先端を幅方向内側へ折り曲げて形成されたガイド突起３２ｃを有する。
なお、蛍光ランプ２０の軸方向両端部に設けられているベース部３２，３２の取付間隔は、蛍光ランプ２０の両端の口金部２２に設けられているランプピン２３の軸方向間隔よりも狭い（図３（Ａ）参照）。
【００２５】
スライド部３３は全体直方体状をしており、側面３３ｄにはベース部３２のガイド突起３２ｃがスライド可能に嵌合するガイド溝３３ｅが軸方向に形成されている（図２参照）。
なお、スライド部３３が所定の範囲を超えてスライドして、ベース部３２から脱落しないように、ストッパ（図示省略）を設けるのが望ましい。
【００２６】
スライド部３３の下面３３ａから上方へ向けて一対の凹部３３ｂが形成されている。一対の凹部３３ｂ、３３ｂは、一対のランプピン２３、２３の間隔と等しい間隔で設けられており、凹部３３ｂの内面には全面にランプピン２３に導通する金属製の導電部３３ｃが設けられている。導電部３３ｃは、照明器具本体３０に設けられている点灯装置（図示省略）に接続されている。各凹部３３ｂはランプピン２３を収容可能となっており、導電部３３ｃはランプピン２３の外径よりも小さな間隔で設けられ、外側へ弾性変形可能となっている。
【００２７】
これにより、凹部３３ｂに挿入されたランプピン２３は、導電部３３ｃの間で挟持されて導通し、照明器具本体３０に設けられている点灯装置（図示省略）から電力が供給可能となる。
【００２８】
次に、蛍光ランプ２０の装着動作について説明する。
【００２９】
まず、図３（Ａ）に示すように、ソケット３１のスライド部３３を軸方向中心側（すなわち、ベース部３２側）へ移動させておく。
次いで、蛍光ランプ２０を照明器具本体３０側へ接近させる。一対のベース部３２，３２の軸方向間隔は、蛍光ランプ２０の両端の口金部２２に設けられているランプピン２３の軸方向間隔よりも狭いので、両スライド部３３、３３は、ランプピン２３、２３の軸方向内側に位置する。
【００３０】
次いで、図３（Ｂ）に示すように、蛍光ランプ２０を保持した状態で、ソケット３１のスライド部３３を軸方向外側（図３（Ｂ）中矢印Ｂ方向）へ移動させる。この際、ランプピン２３は、スライド部３３の凹部３３ｂに収容される。
これにより、図２に示すように、蛍光ランプ２０は照明器具本体３０のソケット３１に保持され、電力の供給が可能になる。
【００３１】
以上、説明した第１実施形態にかかる照明器具１０によれば、ソケット３１のスライド部３３を直管の蛍光管２１の軸方向へスライドさせて、蛍光管２１の口金部２２に設けられているランプピン２３と接続、あるいは離脱させるので、蛍光ランプ２１の着脱時に軸方向の外力が作用せず、蛍光管２１を破損するのを防止することができる。
また、口金部２２を蛍光管２１の両端よりも軸方向中心側に配置したので、蛍光管２１の全体を露出させて、発光させることができる。また、複数の蛍光管２１を隙間なく連続して取付けることができ、連続した光の線を得ることができる。
【００３２】
（第２実施形態）
次に、本発明に係る第２実施形態の照明器具を、図面を用いて説明する。なお、前述した第１実施形態の照明器具と共通する部位には同じ符号を付して、重複する説明を省略することとする。
【００３３】
図４および図５に示すように、第２実施形態にかかる照明器具１０Ｂでは、蛍光ランプ２０Ｂの口金部２２Ｂの側面２２ａの上端部に幅が狭い段差部２４を設け、段差部２４の高さ方向中央部に幅方向外側へ突出する嵌合凸部（嵌合部）２５を軸方向に設けた。
また、図４および図６に示すように、ソケット３１Ｂのスライド部３３Ｂの凹部３３ｂ内面には、口金部２２Ｂの嵌合凸部２５が嵌合する嵌合凹部（嵌合部）３４が軸方向に形成されている。
【００３４】
従って、蛍光ランプ２０Ｂをソケット３１Ｂに取付ける際には、前述した第１実施形態の場合と同様にソケット３１Ｂのスライド部３３Ｂを軸方向へスライドさせて、口金部２２Ｂに設けられているランプピン２３と接続、あるいは離脱させる。このとき、口金部２２Ｂの嵌合凸部２５を、ソケット３１Ｂのスライド部３３Ｂの嵌合凹部３４に嵌合させて、スライド部３３Ｂをスライドさせる。
【００３５】
以上、説明した第２実施形態にかかる照明器具１０Ｂによれば、口金部２２Ｂおよびソケット３１Ｂのスライド部３３Ｂに互いにスライド可能に嵌合する嵌合部としての嵌合凸部２５および嵌合凹部３４を設けたので、蛍光ランプ２０Ｂの落下を確実に防止することができる。
【００３６】
なお、上述した照明器具１０Ｂにおいては、口金部２２Ｂに嵌合凸部２５を設け、スライド部３３Ｂに嵌合凹部３４を設けて互いに嵌合可能としたが、逆に、口金部２２Ｂに嵌合凹部を設け、スライド部３３Ｂに嵌合凸部を設けて嵌合可能とすることもできる。
【００３７】
（第３実施形態）
次に、本発明に係る第３実施形態の照明器具を、図面を用いて説明する。なお、前述した第１実施形態および第２実施形態の照明器具と共通する部位には同じ符号を付して、重複する説明を省略することとする。
【００３８】
図７に示すように、第３実施形態にかかる照明器具１０Ｃでは、前述した第２実施形態にかかる照明器具１０Ｂにおいて、口金部２２Ｃとソケット３１Ｃとの嵌合部を、蛍光管２１の軸方向においてランプピン２３よりも外側に設けた。すなわち、口金部２２Ｃに設ける嵌合凸部２５を、ランプピン２３よりも、蛍光管２１の端部側に設けた。なお、ソケット３１Ｃの嵌合凹部３４は、嵌合凸部２５と嵌合する領域に設ければ足りるが、スライド部３３Ｃの全長にわたって設けても良い。
【００３９】
従って、蛍光ランプ２０Ｃをソケット３１Ｃに取付ける際には、スライド部３３Ｃをスライドさせて、まずランプピン２３をスライド部３３Ｃの凹部３３ｂに挿入して導電部３３ｃに接触させる。さらにスライド部３３Ｃをスライドさせ、口金部２２Ｃの嵌合凸部２５をスライド部３３Ｃの嵌合凹部３４に嵌合させる。
【００４０】
以上、説明した第３実施形態にかかる照明器具１０Ｃによれば、嵌合部である口金部２２Ｃの嵌合凸部２５が、ランプピン２３よりも蛍光管２１の軸方向の外側にあるので、ランプピン２３とソケット３１Ｃのスライド部３３Ｃの導電部３３ｃが確実に接触した状態で、口金部２２Ｃとスライド部３３Ｃとが嵌合する。これにより、蛍光ランプ２０Ｃの落下を防止するとともに、導電部３３ｃの接触不良も防止することができる。
【００４１】
（第４実施形態）
次に、本発明に係る第４実施形態の照明器具を、図面を用いて説明する。なお、前述した第１実施形態〜第３実施形態の照明器具と共通する部位には同じ符号を付して、重複する説明を省略することとする。
【００４２】
図８〜図１０に示すように、第４実施形態にかかる照明器具１０Ｄでは、蛍光ランプ２０Ｄの口金部２２Ｄに設けるランプピン２３Ｄに突起部２３ａを設け、ソケット３１Ｄに突起部２３ａをスライド可能に係止する係止部３５を設けた。すなわち、ランプピン２３Ｄは、口金部２２Ｄに植設された支柱部２３ｂと、支柱部２３ｂの先端に設けられランプピン２３Ｄの径方向へ突出した突起部２３ａとを有する。
【００４３】
また、ソケット３１Ｄのスライド部３３Ｄには、凹部３３ｂをＴ字形状とし、凹部３３ｂの上端に左右に広がる係止部３５を設けた。なお、ここでは導電部３３ｃを係止部３５の内面に設けたが、凹部３３ｂの内面全体に設けることもできる。
【００４４】
従って、蛍光ランプ２０Ｄをソケット３１Ｄに取付ける際には、前述した各実施形態の場合と同様にソケット３１Ｄのスライド部３３Ｄを軸方向へスライドさせて、口金部２２Ｄに設けられているランプピン２３Ｄをスライド部３３Ｄの凹部３３ｂに嵌合させる。このとき、ランプピン２３Ｄの突起部２３ａが、凹部３３ｂの係止部３５に挿嵌されて、上下方向に係止される。
【００４５】
以上、説明した第４実施形態にかかる照明器具１０Ｄによれば、ランプピン２３Ｄの突起部２３ａが、ソケット３１Ｄのスライド部３３に設けられた凹部３３ｂの係止部３５にスライド可能に係止されるので、蛍光ランプ２０Ｄの落下を確実に防止することができる。
【００４６】
なお、上述した照明器具１０Ｄにおける口金部２２Ｄおよびスライド部３３Ｄに嵌合部を設けることも可能である（第２実施形態参照）。このとき、ランプピン２３Ｄの蛍光管２１の軸方向外側に嵌合部を設けるようにすることも可能である（第３実施形態参照）。
【００４７】
（第５実施形態）
次に、本発明に係る第５実施形態の照明器具を、図面を用いて説明する。なお、前述した第１実施形態〜第４実施形態の照明器具と共通する部位には同じ符号を付して、重複する説明を省略することとする。
【００４８】
図１１〜図１３に示すように、第５実施形態の照明器具１０Ｅでは、蛍光管２１の両端部付近に設けられた口金部２２の軸方向端面２２ｂから水平方向(すなわち、蛍光管２１の軸方向)で且つ反対側口金部の方向(すなわち、蛍光管２１の長手方向中央向き)へ一対のランプピン２３、２３を突出して設けた。
【００４９】
そして、照明器具本体３０に取付けられているベース部３２には、口金部２２のランプピン２３に対向する端面３３ｆから内部に向けて水平に凹設された一対のランプピン挿入穴３３ｇ、３３ｇを有するスライド部３３Ｅをスライド可能に設けた。ランプピン挿入穴３３は例えば丸穴であり、内部にはランプピン２３が接触して通電する導電部３３ｃを有する。
【００５０】
なお、従来の差込型ソケットには、前面に同様のランプピン挿入穴３３ｇ、３３ｇが設けられているため、図１４に示すように従来の差込型ソケットを流用してスライド部３３Ｆを形成することも可能である。
【００５１】
図１３に示すように、蛍光ランプ２０Ｅに対応して照明器具本体３０に取付けられる一対のベース部３２、３２の間隔は、蛍光ランプ２０Ｅの両端の口金部２２に設けられているランプピン２３の先端面２３ｃの間隔Ｌよりも短い。
また、スライド部３３Ｅが所定の範囲を超えてスライドして、ベース部３２から脱落しないように、ストッパ（図示省略）を設けるのが望ましい。
【００５２】
従って、蛍光ランプ２０Ｅをソケット３１Ｅに取付ける際には、図１１および図１３に示すように、スライド部３３Ｅをベース部３２に沿って軸方向中央側へ移動させておき、一対のソケット３１Ｅが蛍光ランプ２０Ｅの両口金部２２、２２の間に位置するように蛍光ランプ２０Ｅを配置する。
そして、両口金部２２の一対のランプピン２３、２３が、スライド部３３のランプピン挿入穴３３ｇに対向するように蛍光ランプ２０Ｅを位置決めして、図１２に示すように、スライド部３３Ｅを口金部２２側へ移動させる。
これにより、ランプピン２３がスライド部３３Ｅのランプピン挿入穴３３ｇに挿入されて、保持されるとともに導電部３３ｃに接触して電力の供給が可能になる。
【００５３】
以上、説明した第５実施形態の照明器具１０Ｅによれば、ソケット３１Ｅのスライド部３３Ｅを直管の蛍光管２１の軸方向へスライドさせて、スライド部３３Ｅの導電部３３ｃを蛍光管２１の口金部２２に設けられているランプピン２３と接続、あるいは離脱させるので、蛍光管２１に軸方向に直交する方向の外力が作用しない。これにより、蛍光ランプ２０Ｅの着脱時に蛍光管２１を破損するのを防止することができる。また、ランプピン２３をランプピン挿入穴３３ｇに挿脱する際に、ランプピン２３の軸方向に直交する方向の力が作用しないので、ランプピン２３の破損を防止することができる。
また、口金部２２とソケット３１Ｅが、互いに上下方向に重なることなく略同じ高さで接続・離反することができるので、ソケット３１Ｅおよび口金部２２の高さＨを小さくでき、器具の全高を抑えることができる(図１２参照)。
また、口金部２２とソケット３１Ｅが接続している状態において、水平に延びるランプピン２３がソケット３１の水平なランプピン挿入穴３３ｇに保持されて落下防止機能を発揮するので、落下防止機構を別途設ける必要がなく、構造を簡素化することができる。
【００５４】
また、口金部２２のランプピン２３を蛍光管２１の軸方向と水平で且つ反対側口金部の方向に突出させたので、スライド部３３Ｅは、口金部２２に対して蛍光管２１の軸方向中央側で移動する。このため、口金部２２とソケット３１Ｅとが離反(すなわち、ソケット３１Ｅが軸方向中央側へ移動)したときに、ソケット３１Ｅの位置が蛍光管２１の端面(図１３において破線で表示)から突出しない。
また、ソケット３１Ｅの移動スペースを大きくとることができるため、ランプピン２３を長くすることができ、蛍光ランプ２０を確実に保持するとともに、ソケット３１Ｅと確実に通電することができる。
さらに、蛍光管２１の端面近くにフィラメント２６を設けやすいので、蛍光管２１の全体が点灯するようにすることができる（図１３参照）。
【００５５】
なお、本発明の照明器具は、前述した各実施形態に限定されるものでなく、適宜な変形，改良等が可能である。
【符号の説明】
【００５６】
１０  照明器具
２０  蛍光ランプ
２１  蛍光管
２２  口金部
２３  ランプピン
２３ａ  突起部
２５  嵌合凸部（嵌合部）
３０  照明器具本体
３１  ソケット
３３  スライド部
３４  嵌合凹部（嵌合部）
３５  係止部
【図１】
2010135301.tif 000003
【図２】
2010135301.tif 000004
【図３】
2010135301.tif 000005
【図４】
2010135301.tif 000006
【図５】
2010135301.tif 000007
【図６】
2010135301.tif 000008
【図７】
2010135301.tif 000009
【図８】
2010135301.tif 000010
【図９】
2010135301.tif 000011
【図１０】
2010135301.tif 000012
【図１１】
2010135301.tif 000013
【図１２】
2010135301.tif 000014
【図１３】
2010135301.tif 000015
【図１４】
2010135301.tif 000016
【図１５】
2010135301.tif 000017